(57)【要約】血圧測定に際して、簡単な操作で、測定部位の太さに応じたカフの巻き付け状態を設定できる血圧計用カフを提供する。本発明による血圧計用カフは、測定部位の周囲長に応じたカフの巻き付け状態を示す複数のマークと前記複数のマークから１つのマークを選択表示する窓枠部材８を備え、この複数のマークの設けられたカフ部分３２が前記窓枠部材８と前記窓枠部材８の取り付けられたカフ部分３１の外表面との間をスライドすることで、前記１つのマークが、前記窓枠部材の窓８３を通して選択表示されることから、簡単な操作で、測定部位の周囲長（太さ）に応じたカフの巻き付け状態（カフの筒状の径）を調整して設定できるようになっている。
2004080299.tif 000002
【特許請求の範囲】
【請求項１】
測定部位に筒状に装着される血圧計用カフにおいて、測定部位の周囲長に応じたカフの巻き付け状態を示す複数のマークと前記複数のマークから１つのマークを選択表示する窓枠部材を備え、前記複数のマークの設けられたカフ部分が前記窓枠部材と前記窓枠部材の取り付けられたカフ外表面との間をスライドすることで、前記１つのマークが、前記窓枠部材の窓を通して選択表示されることを特徴とする血圧計用カフ。
【請求項２】
前記窓枠部材はカフ外表面に、カフの展開形状の幅方向に離れた２つの結合部で取り付けられ、前記２つの結合部の間の幅は前記マークの設けられたカフ部分の幅よりわずかに広いことを特徴とする請求項１に記載の血圧計用カフ。
【請求項３】
前記カフの展開形状の長手方向における端の幅は、前記２つの結合部の間の幅よりも広いことを特徴とする請求項２に記載の血圧計用カフ。
【請求項４】
前記窓枠部材は、ハンドルを備えることを特徴とする請求項１ないし請求項３のいずれかに記載の血圧計用カフ。
【請求項５】
前記カフの内部には、前記筒状の径方向に弾性変形可能な湾曲板を有することを特徴とする請求項４に記載の血圧計用カフ。
【請求項６】
前記カフの内部には、前記湾曲板の内側にクッション材を有することを特徴とする請求項５に記載の血圧計用カフ。
【請求項７】
測定部位に筒状に装着される血圧計用カフにおいて、測定部位の周囲長に応じたカフの巻き付け状態を示す複数のマークと前記複数のマークから１つのマークを選択表示する選択表示部材を備え、前記複数のマークの設けられたカフ部分が前記選択表示部材と前記選択表示部材の取り付けられたカフ外表面との間をスライドすることで、前記１つのマークが、前記選択表示部材にて選択表示されることを特徴とする血圧計用カフ。
【請求項８】
測定部位に筒状に装着される血圧計用カフにおいて、測定部位の周囲長に応じたカフの巻き付け状態を示す複数の指示手段と前記複数の指示手段から１つの指示手段を選択表示する選択表示手段を備え、前記複数の指示手段の設けられたカフ部分が前記選択表示手段と前記選択表示手段の取り付けられたカフ外表面との間をスライドすることで、前記１つの指示手段が、前記選択表示手段にて選択表示されることを特徴とする血圧計用カフ。
【請求項９】
測定部位に筒状に巻き付けて装着される血圧計用カフにおいて、前記測定部位と接触するカフ内布が伸縮性を有し、前記カフ内布はカフの展開形状の長手方向に伸ばした状態で前記カフに縫製されていることを特徴とする血圧計用カフ。
【請求項１０】
測定部位に筒状に装着される血圧計用カフを備えた血圧計であって、
前記血圧計用カフは、測定部位の周囲長に応じたカフの巻き付け状態を示す複数のマークと前記複数のマークから１つのマークを選択表示する窓枠部材を備え、前記複数のマークの設けられたカフ部分が前記窓枠部材と前記窓枠部材の取り付けられたカフ外表面との間をスライドすることで、前記１つのマークが、前記窓枠部材の窓を通して選択表示されることを特徴とする血圧計。
【請求項１１】
前記窓枠部材はカフ外表面に、カフの展開形状の幅方向に離れた２つの結合部で取り付けられ、前記２つの結合部の間の幅は前記マークの設けられたカフ部分の幅よりわずかに広いことを特徴とする請求項１０に記載の血圧計。
【請求項１２】
前記カフの展開形状の長手方向における端の幅は、前記２つの結合部の間の幅よりも広いことを特徴とする請求項１１に記載の血圧計。
【請求項１３】
前記窓枠部材は、ハンドルを備えることを特徴とする請求項１０ないし請求項１２の何れかに記載の血圧計。
【請求項１４】
前記カフの内部には、前記筒状の径方向に弾性変形可能な湾曲板を有することを特徴とする請求項１３に記載の血圧計。
【請求項１５】
前記カフの内部には、前記湾曲板の内側にクッション材を有することを特徴とする請求項１３に記載の血圧計。
【請求項１６】
測定部位に筒状に装着される血圧計用カフを備えた血圧計であって、
前記血圧計用カフは、測定部位の周囲長に応じたカフの巻き付け状態を示す複数のマークと前記複数のマークから１つのマークを選択表示する選択表示部材を備え、前記複数のマークの設けられたカフ部分が前記選択表示部材と前記選択表示部材の取り付けられたカフ外表面との間をスライドすることで、前記１つのマークが、前記選択表示部材にて選択表示されることを特徴とする血圧計。
【請求項１７】
測定部位に筒状に装着される血圧計用カフを備えた血圧計であって、
前記血圧計用カフは、測定部位の周囲長に応じたカフの巻き付け状態を示す複数の指示手段と前記複数の指示手段から１つの指示手段を選択表示する選択表示手段を備え、前記複数の指示手段の設けられたカフ部分が前記選択表示手段と前記選択表示手段の取り付けられたカフ外表面との間をスライドすることで、前記１つの指示手段が、前記選択表示手段にて選択表示されることを特徴とする血圧計。
【請求項１８】
測定部位に筒状に巻き付けて装着される血圧計用カフを備えた血圧計であって、
前記血圧計用カフは、前記測定部位と接触するカフ内布が伸縮性を有し、前記カフ内布はカフの展開形状の長手方向に伸ばした状態で前記カフに縫製されていることを特徴とする血圧計。
【発明の詳細な説明】
【技術分野】  本発明は、測定者の上腕等の測定部位に装着して血圧を測定する血圧計用カフ及びそれを備えた血圧計の技術分野に属するものである。
【背景技術】  従来、血圧計のカフでは、カフの長手方向に目盛を付したり、カフの長手方向にスライド自在もしくは任意位置に取付自在な指標を備えることで、測定部の周囲長に応じた血圧測定に際してのカフの巻き付け状態（カフの筒状の径）を設定できるものが考えられていた。このような血圧計のカフは、例えば、日本国公開公報、特開平８−２２９０１０号公報に開示されている。  しかしながら、上記公開公報に記載されているような血圧計カフ５０、６０（図１Ａ及び図１Ｂ）では、目盛５１や指標６１を基準位置５２、６２に合わせる場合、合わせると同時に、カフの一端側（基準位置５２、６２のある側）表面の面状ファスナー５３、６３と他端側（目盛５１や指標６１のある側）裏面の面状ファスナー（図示せず）が結合してカフの筒状が固定される。このため、誤って合わせてしまった場合には、いちいちファスナーを取り外して、合わせ直す必要があり、正確に、目盛５１や指標６１を基準位置５２、６２に合わせる操作は煩雑であった。
【発明の開示】
本発明は、上記の問題を解決するためになされたものであって、血圧測定に際して、簡単な操作で、測定部位の周囲長（太さ）に応じたカフの巻き付け状態（カフの筒状の径）を設定できる血圧計用カフ及びそれを備えた血圧計を提供することを目的としている。
また、従来の血圧計のカフでは、外布と測定部位と接触する内布は、自然なカフ展開状態で空気袋を内蔵するように縫製されているため、カフを筒状にして測定部位に巻き付ける場合に、カフの外周長と内周長の差により内布にしわが生じ、カフによる測定部位の圧迫過程で、しわにより測定部位に内出血が生じることがあった。本発明は、この問題をも解決するものであり、安全な巻き付け状態を実現できる血圧計用カフ及びそれを備えた血圧計を提供することをも目的としている。
上記の目的を達成するための本発明の血圧計用カフは、測定部位に筒状に装着される血圧計用カフにおいて、測定部位の周囲長に応じたカフの巻き付け状態を示す複数のマークと前記複数のマークから１つのマークを選択表示する窓枠部材を備え、前記複数のマークの設けられたカフ部分が前記窓枠部材と前記窓枠部材の取り付けられたカフ外表面との間をスライドすることで、前記１つのマークが、前記窓枠部材の窓を通して選択表示されることを特徴とする。
また、前記窓枠部材はカフ外表面に、カフの展開形状の幅方向に離れた２つの結合部で取り付けられ、前記２つの結合部の間の幅は前記マークの設けられたカフ部分の幅よりわずかに広い。
さらに、前記カフの展開形状の長手方向における端の幅は、前記２つの結合部の間の幅よりも広い。
また、前記窓枠部材は、ハンドルを備え、前記カフの内部には、前記筒状の径方向に弾性変形可能な湾曲板を有している。
さらに、前記カフの内部には、前記湾曲板の内側にクッション材を有している。
本発明による血圧計用カフは、測定部位に筒状に装着される血圧計用カフにおいて、測定部位の周囲長に応じたカフの巻き付け状態を示す複数のマークと前記複数のマークから１つのマークを選択表示する選択表示部材を備え、前記複数のマークの設けられたカフ部分が前記選択表示部材と前記選択表示部材の取り付けられたカフ外表面との間をスライドすることで、前記１つのマークが、前記選択表示部材にて選択表示されることを特徴とする。
また、本発明による血圧計用カフは、測定部位に筒状に装着される血圧計用カフにおいて、測定部位の周囲長に応じたカフの巻き付け状態を示す複数の指示手段と前記複数の指示手段から１つの指示手段を選択表示する選択表示手段を備え、前記複数の指示手段の設けられたカフ部分が前記選択表示手段と前記選択表示手段の取り付けられたカフ外表面との間をスライドすることで、前記１つの指示手段が、前記選択表示手段にて選択表示されることを特徴とする。
さらに、本発明による血圧計用カフは、測定部位に筒状に巻き付けて装着される血圧計用カフにおいて、前記測定部位と接触するカフ内布が伸縮性を有し、前記カフ内布はカフの展開形状の長手方向に伸ばした状態で前記カフに縫製されていることを特徴とする。
さらに、上記の目的を達成するための本発明による血圧計におけるカフは、測定部位に筒状に装着される血圧計用カフであって、測定部位の周囲長に応じたカフの巻き付け状態を示す複数のマークと前記複数のマークから１つのマークを選択表示する窓枠部材を備え、前記複数のマークの設けられたカフ部分が前記窓枠部材と前記窓枠部材の取り付けられたカフ外表面との間をスライドすることで、前記１つのマークが、前記窓枠部材の窓を通して選択表示されることを特徴とする。
また、前記窓枠部材はカフ外表面に、カフの展開形状の幅方向に離れた２つの結合部で取り付けられ、前記２つの結合部の間の幅は前記マークの設けられたカフ部分の幅よりわずかに広い。
さらに、前記カフの展開形状の長手方向における端の幅は、前記２つの結合部の間の幅よりも広い。
また、前記窓枠部材は、ハンドルを備え、前記カフの内部には、前記筒状の径方向に弾性変形可能な湾曲板を有している。
さらに、前記カフの内部には、前記湾曲板の内側にクッション材を有している。
また、本発明による血圧計におけるカフは、測定部位に筒状に装着される血圧計用カフであって、測定部位の周囲長に応じたカフの巻き付け状態を示す複数のマークと前記複数のマークから１つのマークを選択表示する選択表示部材を備え、前記複数のマークの設けられたカフ部分が前記選択表示部材と前記選択表示部材の取り付けられたカフ外表面との間をスライドすることで、前記１つのマークが、前記選択表示部材にて選択表示されることを特徴とする。
また、本発明による血圧計におけるカフは、測定部位に筒状に装着される血圧計用カフであって、測定部位の周囲長に応じたカフの巻き付け状態を示す複数の指示手段と前記複数の指示手段から１つの指示手段を選択表示する選択表示手段を備え、前記複数の指示手段の設けられたカフ部分が前記選択表示手段と前記選択表示手段の取り付けられたカフ外表面との間をスライドすることで、前記１つの指示手段が、前記選択表示手段にて選択表示されることを特徴とする。
さらに、本発明による血圧計におけるカフは、測定部位に筒状に巻き付けて装着される血圧計用カフであって、前記測定部位と接触するカフ内布が伸縮性を有し、前記カフ内布はカフの展開形状の長手方向に伸ばした状態で前記カフに縫製されていることを特徴とする。
一方、上記の目的を達成するための本発明による血圧計は、測定部位に筒状に装着される血圧計用カフを備えた血圧計であって、前記血圧計用カフは、測定部位の周囲長に応じたカフの巻き付け状態を示す複数のマークと前記複数のマークから１つのマークを選択表示する窓枠部材を備え、前記複数のマークの設けられたカフ部分が前記窓枠部材と前記窓枠部材の取り付けられたカフ外表面との間をスライドすることで、前記１つのマークが、前記窓枠部材の窓を通して選択表示されることを特徴とする。
また、前記窓枠部材はカフ外表面に、カフの展開形状の幅方向に離れた２つの結合部で取り付けられ、前記２つの結合部の間の幅は前記マークの設けられたカフ部分の幅よりわずかに広い。
さらに、前記カフの展開形状の長手方向における端の幅は、前記２つの結合部の間の幅よりも広い。
また、前記窓枠部材は、ハンドルを備え、前記カフの内部には、前記筒状の径方向に弾性変形可能な湾曲板を有している。
さらに、前記カフの内部には、前記湾曲板の内側にクッション材を有している。
本発明による血圧計は、測定部位に筒状に装着される血圧計用カフを備えた血圧計であって、前記血圧計用カフは、測定部位の周囲長に応じたカフの巻き付け状態を示す複数のマークと前記複数のマークから１つのマークを選択表示する選択表示部材を備え、前記複数のマークの設けられたカフ部分が前記選択表示部材と前記選択表示部材の取り付けられたカフ外表面との間をスライドすることで、前記１つのマークが、前記選択表示部材にて選択表示されることを特徴とする。
また、本発明による血圧計は、測定部位に筒状に装着される血圧計用カフを備えた血圧計であって、前記血圧計用カフは、測定部位の周囲長に応じたカフの巻き付け状態を示す複数の指示手段と前記複数の指示手段から１つの指示手段を選択表示する選択表示手段を備え、前記複数の指示手段の設けられたカフ部分が前記選択表示手段と前記選択表示手段の取り付けられたカフ外表面との間をスライドすることで、前記１つの指示手段が、前記選択表示手段にて選択表示されることを特徴とする。
さらに、本発明による血圧計は、測定部位に筒状に巻き付けて装着される血圧計用カフを備えた血圧計であって、前記血圧計用カフは、前記測定部位と接触するカフ内布が伸縮性を有し、前記カフ内布はカフの展開形状の長手方向に伸ばした状態で前記カフに縫製されていることを特徴とする。
さらなる発明の具体的構成は、以下の発明を実施するための最良の形態及び添付図面により明らかになるものである。
【図面の簡単な説明】  図１Ａ及び図１Ｂは、従来の血圧計用カフの目盛が用いられる場合と指標が用いられる場合の図である。
図２は、本発明による実施形態の血圧計用カフの斜視図である。
図３は、窓枠部材を除いて展開形状とした本発明の実施例の血圧計用カフを外面からみた図である。
図４は、窓枠部材を除いて展開形状とした本発明の実施例の血圧計用カフを内面からみた図である。
図５は、本発明による実施形態の血圧計用カフに内蔵されている湾曲板の斜視図である。
図６Ａ及び図６Ｂは、それぞれ、本発明による実施形態の血圧計用カフに取り付けられる窓枠部材の上方からの斜視図と下方からの斜視図である。
図７は、本発明の実施形態の血圧計用カフで巻き付け状態の調整をしている図である。
図８Ａ及び図８Ｂは、それぞれ、本発明による実施形態の血圧計用カフで、測定部位の太さが標準設定より細い場合と太い場合の調整をしている図である。
図９Ａ及び図９Ｂは、それぞれ、本発明の実施形態の血圧計用カフを測定部位に装着する場合と取り外す場合の図である。
図１０は、本発明の実施形態の血圧計用カフを備えた血圧計を用いて、血圧測定をしている図である。
図１１は、図２のカフの窓の位置での横断面図である。
図１２は、図２のカフのハンドルの位置での縦断面図である。
【発明を実施するための最良の形態】  以下、本発明の血圧計用カフを添付図面に示す好適実施例に基づいて詳細に説明する。尚、本実施形態では、測定部位は上腕となっている。
図２は、本実施形態のカフの斜視図である。図３と図４は、それぞれ、図２のカフの窓枠部材を除いて展開形状としたカフの外面と内面からみた図である。図５は、カフに内蔵されている湾曲板の斜視図である。図６Ａ、図６Ｂは、それぞれ、カフに取り付けられる窓枠部材の上方からの斜視図と下方からの斜視図である。図７は、カフの巻き付け状態（カフの筒状の径）の調整をしている図である。図８Ａ、図８Ｂは、それぞれ、測定部位（上腕）の太さが標準設定より細い場合と太い場合の調整をしている図である。図９Ａ、図９Ｂは、それぞれ、カフを測定部位（上腕）に装着する場合と取り外す場合の図である。図１０は、本実施形態のカフを用いて血圧測定をしている図である。図１１は、図２のカフの窓枠部材の窓の位置での横断面をカフの後端部（チューブの導出される側）に向かってみた図である。また、図１２は、図２のカフのハンドルの位置での縦断面を図１１のＸ方向に向かってみた図である。
図１１と図１２の断面図に示すように、この血圧計用カフ１は、内布（内面布）２と外布（外面布）３との間に、外側から順に、湾曲板６，スポンジ材（クッション材）７，大型（長尺）の阻血用空気袋４が配置されていて、更に、圧力検出部である小型の圧力検出用空気袋５が阻血用空気袋４の内側（カフ装着時に測定部位側）にバックプレート１３を介して配置されている。
圧力検出用空気袋４とほぼ同じ大きさの合成樹脂板であるバックプレート１３は阻血用空気袋４の長手方向のほぼ中央部内側に両面粘着剤等にて接合され、圧力検出用空気袋５はそのバックプレート１３の内側に両面粘着剤等にて接合されて配置されている。このように、圧力検出用空気袋５は阻血用空気袋４の間に、バックプレート１３を介することにより、圧力検出用空気袋５に阻血用空気袋４からの圧力振動が伝達されにくく、また、圧力検出用空気袋５で検出される圧力信号が減衰しにくくなっている。
測定部位（上腕部）と接触する内布２はツーウエイニット（縦横共に伸びる生地）等の伸縮性を有し、かつ、低摩擦性を有する素材で構成されていて、外布３はツイル生地等の非伸縮性を有する素材で構成されている。伸縮性を有する内布２は、図４で示すようなカフの展開形状でカフの展開形状の長手方向に、３０％程度伸ばした状態で縫製している（取り付けられている）。これにより、カフ１を円筒状にした場合にも、内布２にはしわがよることがなく、内布２にしわがある状態で圧迫した場合の測定部位での内出血を避けることができ、安全な巻き付け状態を実現できる。また、内布２は低摩擦性を有する素材で構成されているので、筒状にされたカフ１は測定部位（上腕）に対してスムーズに抜き差しできる。
阻血用空気袋４と圧力検出用空気袋５とからは、それぞれ、血圧計本体１００に接続される給排気チューブ１０と圧力検出用チューブ１１が導出されている。図１１の阻血用空気袋４と圧力検出用空気袋５の内部の大小の円形は、それぞれ、給排気チューブ１０と圧力検出用チューブ１１の導出口を示している。
図３と図４に示すように、カフ１の外布３の長手方向における中央部分の外面には、縫合や接着等にて広い範囲にわたって面ファスナーループ（係合部材）１２ａが取り付けられている。また、外布３の長手方向での阻血用空気袋４のある側のカフ端１ａとは反対の側のカフ端１ｂに近い部分の内面には、カフ端１ｂまで延びる、縫合や接着等にて取り付けられた面ファスナーフック（係合部材）１２ｂが取り付けられている。そして、カフが筒状にされたとき、面ファスナーループ１２ａと面ファスナーフック１２ｂとが相互に脱着可能となる面ファスナーを構成する。面ファスナーフック１２ｂは、カフ端１ｂまで延びていることから、後述の標準設定ではゆるすぎる場合（測定部位の周囲長（太さ）が小さい場合）のカフの巻き付け状態の調整においても、カフ端１ｂの近くの部分は、しっかりと外布３の表面の面ファスナーループ１２ａに接合し、この部分（カフ端１ｂの近くの部分）が邪魔になることなく、安定した筒状を形成することができるようになっている。（このことにより、上腕の細い人にも、カフの着脱は容易である。）
外布３は、図３に示すように、長手方向において、阻血用空気袋４のある側のカフ端１ａから面ファスナーループ１２ａの終りの位置までは同じ幅Ｌ１をもつが、面ファスナーループ１２ａの終りを過ぎたあたりからくびれてＬ１よりも小さい幅Ｌ２をもち、面ファスナーフック１２ｂの始まりの位置では、Ｌ２より大きい幅Ｌ３をもつようになる。便宜上、外布３の幅Ｌ１の部分を幅広部分３１、外布３の幅Ｌ２の部分をくびれ部分３２、外布３の幅Ｌ３の部分を幅広部分３３と呼ぶ。外布３のくびれ部分３２の外面には、血圧測定に際しての測定部位の周囲長（太さ）に応じた複数のカフの巻き付け状態（カフの筒状の径）を示す複数のマーク（指示手段）９として、数字の「１」「２」「３」が印刷されている。
カフ１の外布３と阻血用空気袋４の間に配置される湾曲板（バッキング）６のカフ１への取り付け前の自然な状態は、図５に示すような合成樹脂板等で比較的大きな曲率に湾曲されており、図１１に示すようなカフ１に取り付けられた状態でカフの筒状の径方向に曲率を変形（特に、湾曲板の長手方向の両端部分が曲率縮小方向である矢印ｘ方向に変形）できるように弾性変形可能である。所定の厚さのスポンジ材（クッション材）７は湾曲板６の内側に両面接着剤等にて接合されて阻血用空気袋４の外側に配置されている。図３にみるように、展開形状での湾曲板６とスポンジ材７と阻血用空気袋４は、ほぼ同じ大きさの略長方形であり、これらは、重なって、略長方形の内布２とこの内布２よりも長手方向の長さの長い外布３との間に配置されている。
合成樹脂等にて好ましくは剛性を有するように成形された窓枠部材（選択表示部材、選択表示手段）８がカフ１の外側で、筒形状にされたカフ１の周方向に広がりをもちつつカフ１の幅方向（カフの展開形状の長手方向に対して直角方向）に伸びるように、カフの外表面に取り付けられている。
窓枠部材（選択表示部材、選択表示手段）８は、カフ１の展開形状の幅方向（展開形状での長手方向に垂直な方向）に延びるハンドル（把持部）８１と、このハンドル８１を対称にして筒形状のカフの両周方向に、筒形状のカフ１の外面に沿うようにわずかに湾曲しながら広がっている板８２とが好ましくは一体成型されて構成されるものである。そして、カフ１の巻き付け状態（カフの筒状の径）を示すマーク（数字の「１」「２」「３」）が選択表示される窓８３が、ハンドル８１を対称にした板の片側に設けられている。
窓枠部材８のカフ１への取り付けは、窓枠部材８の湾曲板６の展開形状の長手方向のほぼ中央部への取り付けを通して行われている。図５と図６Ｂを参照して、窓枠部材８の下部の両端に形成される凹部８ａが湾曲板６の幅方向（展開形状の長手方向に対して直角方向）の両端の上部に一体形成される凸部６ａに嵌め込まれ、窓枠部材８の穴８ｂからピン（図示せず）を湾曲板６の凸部６ａに形成された穴６ｂに通すことにより、窓枠部材８が湾曲板６の上に固定される。尚、図６Ｂに示すように、２つの凹部８ａの内側端の間の幅（窓枠部材８のカフ１の外表面への結合部の幅）をＬとすると、幅Ｌは、カフ１の展開形状での幅広部分３１、３３の幅Ｌ１、Ｌ３よりも狭いが、くびれ部分３２の幅Ｌ２よりは、わずかに広い。
ハンドル８１の直接手で把持する部分の上面は、図６Ａに示すように、ほぼ長手方向の全域にわたり、溝８１ａが形成され、この溝８１ａに親指を置いてのカフの抜き差し（着脱）を容易にする。また、図１１に示すように、ハンドル８１の真下には、圧力検出用空気袋５が位置することから、カフ１の周方向での位置決めでは、ハンドル８１の位置を基準にして、容易に、圧力検出用空気袋５を動脈のある位置に持っていくことができる。このため、正確な血圧測定が容易である。
この血圧計用カフ１は、以上のように構成されていて、巻き付け状態（カフの筒状の径）の調整は、以下の要領で行われる。
まず、工場出荷時では、図２のように、外布３のカフ端１ｂ側の幅広部分３３が窓枠部材８の下側を通って面ファスナーが接合（幅広部分３３内側の面ファスナーフック１２ｂが幅広部分３１の外側の面ファスナーループ１２ａと接合）して安定した筒状が形成されている。このとき、窓枠部材８の下側には、外布３のくびれ部分３２［複数のマークの設けられたカフ部分］が、窓枠部材８の板８２と外布３の幅広部分３１の外面（外表面）［窓枠部材の取り付けられたカフ外表面］との間に挟まれた状態となっており、窓枠部材８の窓８３を通して、くびれ部分３２の表面に印刷された標準的なカフの巻き付け状態（カフの筒状の径）を示すマークとして数字の「２」が選択表示されている。
測定者は、最初の測定に際して、まず、この標準設定のカフ１を、そのまま測定部位（上腕）に通して、標準設定でのカフの巻き付け状態（カフの筒状の径）が妥当かどうかを確認する。この標準設定の状態での巻き付け状態（カフの筒状の径）が、きつすぎる場合やゆるすぎる場合には、カフ１を、測定部位（上腕）からそのまま抜き、カフ１の巻き付け状態（カフの筒状の径）の調整を行う。
カフ１の巻き付け状態（カフの筒状の径）の調整は、工場出荷時に接合している面ファスナー（カフの幅広部分３３の内側の面ファスナーフック１２ｂと幅広部分３１の外側の面ファスナーループ１２ａ）を外し、図７に示すように、一方の手でハンドル８１をもち、もう一方の手で外布３の幅広部分３３をもって行う。ゆるすぎる場合は、窓枠部材８の窓８３を通して、外布３のくびれ部分３２に印刷されたカフの巻き付け状態（カフの筒状の径）を示すマークとして「１」が選択表示されるように、外布３の幅広部分３３をもって、くびれ部分３２を窓枠部材８の板８２と外布３の幅広部分３１の外表面との間で、Ａ方向にスライドさせる。また、きつすぎる場合には、外布３のくびれ部分３２に印刷されたカフの巻き付け状態（カフの筒状の径）を示すマークとして「３」が選択表示されるように、外布３の幅広部分３３をもって、くびれ部分３２を窓枠部材８の板８２と外布３の幅広部分３１の外表面との間で、Ｙ方向にスライドさせる。これらの様子が図７に示されている。そして、いずれの場合も、その後、カフの面ファスナー（幅広部分３３の内側の面ファスナーフック１２ｂを幅広部分３１の外側の面ファスナーループ１２ａ）を接合して安定した筒状を形成する（筒状の径を固定する）。
ここで、カフ１に内蔵されている湾曲板６は、弾性変形可能であることから、曲率を変形させるカフの筒状の径方向（特に、曲率縮小方向である矢印ｘ方向）の弾性変形に対して、元に戻ろうとする復元力による付勢が加わる。本実施例のカフ１は、湾曲板６がカフ１内で自然な曲率の状態（ファスナー（１２ａ，１２ｂ）が外された状態）では、筒状の径がもっとも大きい状態（窓枠部材８の窓８３に、数字「３」より幅広部分３３に近いくびれ部分が現れる状態）となるように、カフ１の幅広部分３１とくびれ部分３２の長手方向の長さが設定されている。このため、カフの巻き付け状態（カフの筒状の径）の調整は、外布３の幅広部分３３を引っ張るか若しくは緩めるだけで、カフの巻き付け状態（カフの筒状の径）の「１」〜「３」までの設定が可能である。すなわち、カフの筒状の径を広げる必要がある場合（きつすぎる場合）には、外布３の幅広部分３３の窓枠部材８を挟んだ反対側のくびれ部分３２や幅広部分３１をもってＹ方向に引っ張る必要はなく、外布３の幅広部分３３をもつ手を緩めるだけで、湾曲板６の復元力を利用して調整できる。
また、窓枠部材８の凹部８ａ（カフ外表面（湾曲板６の凸部６ａ）との結合部）の内側端の間の幅Ｌは、外布３の幅広部分３３の幅Ｌ３よりも狭いため、幅広部分３３が窓部材８の板８２の下側を通り抜けて、窓部材８の反対側に出てしまうことはない。従って、巻き付け状態（カフの筒状の径）の調整のために、わざわざ外布３の幅広部分３３を窓枠部材８の板８２の下側を通す必要が生じることはなく、常に、容易に、カフの巻き付け状態（カフの筒状の径）の調整を行うことができる。
更に、凹部８ａの内側端の間の幅Ｌは、外布３のくびれ部分３２の幅Ｌ２よりは、わずかに広い。このため、巻き付け状態（カフの筒状の径）の調整のために、外布３の幅広部分３３を引っ張る場合、引っ張る方向が、多少、カフの展開形状での長手方向からずれても、外布３のくびれ部分３２は、正確に、カフの展開形状での長手方向にスライドして、複数のマーク９は確実に、窓枠部材８の窓８３の中に現れる。このため、巻き付け状態（カフの筒状の径）の調整が安定している。また、カフの巻き付け状態（カフの筒状の径）の調整によって、カフ１の筒形状を歪ませることもない。
カフ１の内部で湾曲板６と阻血用空気袋４の間に配置されているスポンジ材（クッション材）７は、異なる太さ（周囲長）の測定部位に対して、カフ１の内面を測定部位に圧迫密着させるため、カフ１が測定部位の周方向に回転したりカフの挿入方向にずれたりすることなく、カフ１の測定部位への安定した装着を可能にする。また、このスポンジ材（クッション材）７は、１つのカフの巻き付け状態（カフの筒状の径）の中での血圧測定可能な測定部位（上腕）の周囲長（太さ）に、巾（冗長性）をもたせることができ、調整の段階の数を減らすことができる。このように、調整の段階を減らすことで、更に、調整が容易となっている。
本実施形態のカフ１では、調整の段階は３段階（少ない段階数）となっており、数字「２」の標準のカフの巻き付け状態（カフの筒状の径）で上腕の周囲長として２６．１ｃｍ〜２９．０ｃｍの範囲（約３ｃｍの巾）［周囲長の所定の範囲］について血圧測定が可能な巻き付け状態となっている。また、数字「１」（細めの上腕対応）、数字「３」（太めの上腕対応）では、それぞれ、上腕の周囲長［周囲長の所定の範囲］が、２２．６ｃｍ〜２６．０ｃｍの範囲（約３．５ｃｍの巾）、２９．１ｃｍ〜３１．５ｃｍの範囲（約２．５ｃｍの巾）について血圧測定が可能な巻き付け状態となっている。そして、調整の段階が少ないために、くびれ部分３２に印刷されるマーク（数字）９を大きくして目立たせることもでき、設定の確認が容易であり、調整の間違いも少ない。
尚、面ファスナーの接合（外布３の幅広部分３３の内側の面ファスナーフック１２ｂを幅広部分３１の外側の面ファスナーループ１２ａを接合）は、窓枠部材８の窓８３に、くびれ部分３２のマーク９が表示される場合に限定されず、測定者は、マーク（数字）にこだわらず、最も自分の測定部位（上腕）に適すると思われるカフの巻き付け状態（カフの筒状の径）に調整することもできる。特に、測定部位（上腕）が、窓枠部材８の窓８３に数字「１」のマークが現れる巻き付け状態でもゆるすぎる場合は、さらに、外布３の幅広部分３３をもって、くびれ部分３２を窓枠部材８の板８２と外布３の幅広部分３１の外表面との間で、Ｘ方向にスライドさせて、適切な巻き付け状態（カフの筒状の径）に調整することができる。
血圧測定に際しては、巻き付け状態（カフの筒状の径）の調整されたカフ１を、図９Ａに示すように、一方の手Ｈ１でハンドル８１を握り、矢印の方向に、他方の手Ｈ２の腕を通しての測定部位（上腕）に持っていく。このとき、カフ１のハンドル８１を測定部位（上腕）の周方向に対しては、図に示す位置に合わせる。これは、前述のように、ハンドル８１の真下に内蔵されている圧力検出用空気袋５が、正確に上腕の動脈上の位置に設置され、動脈からの圧力信号（脈波）を検出できるようにするためである。この状態で、ハンドル８１から手を離しても、カフ１に内蔵されているスポンジ材（クッション材）７により、カフ１の内面は測定部位にゆるく圧迫されているため、カフ１は挿入方向にも周方向にもずれることはない。
本実施形態では、以上のように血圧測定用カフ１を上腕に図９Ａのようにして装着した後、図１０にみるような血圧計において、血圧計本体１００に内蔵の自動ポンプ（図示せず）にて給排気用チューブ１０を通してカフ１内の阻血用空気袋４（図１１、図１２等参照）内に圧縮空気を給気して上腕部を圧迫阻血し、阻血用空気袋４内の圧縮空気を給排気用チューブ１０を通して排気する過程で、圧力検出用空気袋５によって動脈の圧力信号を正確に検出して、検出される圧力脈波に基づき血圧を測定する。これら一連の動作の制御は本体１００に内臓のＣＰＵ（図示せず）によって行われる。すなわち、いわゆるオシロメトリック方式による血圧測定を行う。尚、図１０の血圧計本体１００は、前面のパネルに測定開始や停止のスイッチが設けられ、血圧測定のための給俳気等の各種制御を行い血圧を測定し、表示部１０１に測定された血圧値を表示するが、同時に、蓋１０２を備えて、血圧を測定しない場合のＡＣアダプタ（図示せず）やカフ１を収納する収納室１０３をも備えるものである。
測定が終了するとカフ１は、そのまま、図９Ｂに示すように一方の手Ｈ１でハンドル８１を握り、矢印の方向に、他方の手Ｈ２の腕を通して測定部位（上腕）から、抜き取る。
そして、最初、カフの巻き付け状態（筒状の径）が測定部位の太さ（周囲長）に合うように調整されさえすれば、被測定者が同一であれば、次回以降の血圧測定に際しては、調整は不要で、容易に、カフ１の上腕（測定部位）への装着と取り外しができる。従って、この血圧計用カフ１は測定部位に対する繰り返しの脱着に関する操作性が非常に良いと言う利点を有している。
尚、実施形態では、測定部位は上腕であったが、測定部位は限定されるものではなく、例えば手首であってもよい。また、実施形態では、カフの巻き付け状態（カフの筒状の径）の調整に対応する複数のマークに数字を用いたが数字に限定されるものはなく、アルファベット等の各種シンボルであってもよい。また、マークの数も３つに限定されるものではない。
以上のように構成された本実施形態による血圧計用カフは、次のような効果を奏することができる。
本実施形態の血圧計用カフは、測定部位に筒状に装着される血圧計用カフにおいて、測定部位の周囲長に応じたカフの巻き付け状態を示す複数のマーク（指示手段）と前記複数のマーク（指示手段）から１つのマーク（指示手段）を選択表示する窓枠部材（選択表示部材、選択表示手段）を備え、前記複数のマーク（指示手段）の設けられたカフ部分が前記窓枠部材（選択表示部材、選択表示手段）と前記窓枠部材（選択表示部材、選択表示手段）の取り付けられたカフ外表面との間をスライドすることで、前記１つのマーク（指示手段）が、前記窓枠部材の窓（選択表示部材、選択表示手段）を通して選択表示されることから、簡単な操作で、測定部位の周囲長（太さ）に応じたカフの巻き付け状態（カフの筒状の径）を調整して設定できる。
また、前記窓枠部材はカフ外表面に、カフの展開形状の幅方向に離れた２つの結合部で取り付けられ、前記２つの結合部の間の幅は前記マークの設けられたカフ部分の幅よりわずかに広いことから、１つのマークの前記窓枠部材による選択表示を確実にできる。また、カフの巻き付け状態の調整により、カフの筒形状を歪ませることもない。
また、前記カフの展開形状の長手方向における端の幅は、前記２つの結合部の間の幅よりも広いことから、カフの展開形状の長手方向における端は窓枠部材の下側を通り抜けることはなく、カフの巻き付け状態の調整に際して、わざわざ、前記カフの端（阻血用空気袋のある側とは反対側の端）の部分を窓枠部材の下側に通す必要はなく、カフの巻き付け状態の調整が容易である。
また、前記窓枠部材は、ハンドルを備えることから、カフの巻き付け状態の調整に際して、一方の手で、カフ本体を安定して把持することができるため、カフの巻き付け状態の調整が容易である。
また、前記カフの内部には、前記筒状の径方向に弾性変形可能な湾曲板を有することから、カフの展開形状の長手方向における端（阻血用空気袋のある側とは反対側の端）を引っ張るか若しくは緩めるだけで、容易にカフの巻き付け状態の調整ができる。
また、前記カフの内部には、前記湾曲板の内側にクッション材を有することから、カフの測定部位への装着を安定させることができる。また、１つのカフの巻き付け状態の中での血圧測定可能な測定部位の太さに冗長性（巾）をもたせることができ、調整されるカフの巻き付け状態の数（調整の段階の数）を減らすことができ、カフの巻き付け状態の調整が容易である。
更に、本実施形態の血圧計用カフは、測定部位に筒状に巻き付けて装着される血圧計用カフにおいて、前記測定部位と接触するカフ内布か伸縮性を有し、前記カフ内布はカフの展開形状の長手方向に伸ばした状態で前記カフに縫製されていることから、測定部位に内出血を生じることのないカフの安全な巻き付け状態が実現ができる。
以上、本発明について説明してきたが、本発明の趣旨を逸脱することがなければ、様々な改良や変更をなすことができ、そのような本発明の趣旨は、本発明の実施の形態に限定されるものではなく、添付特許請求の範囲により明らかになるものである。
2004080299.tif 000003
【図２】
2004080299.tif 000004
【図３】
2004080299.tif 000005
【図４】
2004080299.tif 000006
【図５】
2004080299.tif 000007
2004080299.tif 000008
【図７】
2004080299.tif 000009
2004080299.tif 000010
2004080299.tif 000011
【図１０】
2004080299.tif 000012
【図１１】
2004080299.tif 000013
【図１２】
2004080299.tif 000014
【国際調査報告】
2004080299.tif 000015
2004080299.tif 000016
2004080299.tif 000017
2004080299.tif 000018
2004080299.tif 000019